(57)【要約】【課題】上下二段に積まれた対向する一対の型枠列を支持すると共に、コンクリート基礎表面からの錆びの発生を抑えて、コンクリート基礎の長期にわたる耐久性を確保できる安価な型枠支持装置を提供する。【解決手段】型枠支持装置１０は、ストレートな鉄製棒状体の両端に軸方向に延びた一対の取付孔４を有する連結棒１２と、その軸方向両端側に同軸状に固定され、軸方向の外側面が軸線に対して直角になっていると共に外側面から軸方向に延びて連結棒の端部に連通する挿通孔１６を設けてなる非金属製の一対の連結体１５とからなる間隔保持部材１１と、略長方形の平板であって長手方向の一端側位置に固定孔２２ａを有する基部２２と、その長手方向の他端縁にて一体で連結されて基部の延長方向に延びた棒状の取付部２３とを有する支持部材２１とを備えている。固定部材２５が、基部の固定孔２４に着脱可能に挿嵌され、型枠を固定する。【選択図】    図１
2004225485.tif 000002
【特許請求の範囲】
【請求項１】
ストレートな鉄製の棒状体であってその両端に軸方向に延びた一対の取付孔を有する連結棒と、該連結棒の両端にて該連結棒の外周側を囲んで固定されると共に軸方向外方に向けて延出し、軸方向の外側面が軸線に対して直角になっていると共に該外側面から軸方向に延びて前記連結棒の端部に連通する挿通孔を設けてなる非金属製の一対の連結体とを有する間隔保持部材と、
略長方形の平板であって長手方向の一端側に固定孔を有する基部と、該基部の長手方向の他端縁にて一体で連結されて該基部の延長方向に延びた棒状の取付部とを有し、前記間隔保持部材の取付孔に前記取付部を挿嵌することにより該間隔保持部材に固定される一対の支持部材と、
前記固定孔に着脱可能に挿嵌される固定部材とを備え、
前記間隔保持部材が、互いに対向してベース上に立設されると共に上下２段に積まれた一対の型枠列の上下の型枠の境界にて対向する型枠の成形面に対して垂直に配置されると共に、該各成形面に前記一対の連結体の各外側面が当接し、前記基部が上下の型枠の間に挟まれた状態で前記固定部材が前記固定孔に挿嵌されることを特徴とする型枠支持装置。
【請求項２】
前記間隔保持部材の取付孔には、少なくとも一部にねじ溝が設けられ、前記支持部材の取付部には、前記ねじ溝に螺合するねじが設けられたことを特徴とする前記請求項１に記載の型枠支持装置。
【請求項３】
前記間隔保持部材の連結体に設けた前記挿通孔に密着状態で挿嵌固定される非金属材料製の封止部材を設けたことを特徴とする前記請求項１又は２に記載の型枠支持装置。
【発明の詳細な説明】
【０００１】
【発明の属する技術分野】
本発明は、ベース上に互いに対向して垂直に立設されると共に、それぞれ上下二段に積まれた一対の型枠列の上下の型枠間にそれぞれ挟まれて配置され、型枠列を一定間隔に保持すると共に上下の型枠を垂直状態で支持する型枠支持装置に関する。
【０００２】
【従来の技術】
従来、この種の型枠支持装置であるいわゆる段セパレータ１は、図５に示すように、所定幅の長尺板状の基部２と、その幅方向の一方側端部で長手方向の両端側及び中央側に所定長手方向長さでかつ基部２に対して直角に突出した長方形の端部係止片３ａ，３ｂ及び中間係止片３ｃと、幅方向の他方側端部で端部係止片３ａ，３ｂ及び中間係止片３ｃに対して基部２を挟んで反対方向に突出した同一形状の端部係止片５ａ，５ｂ及び中間係止片５ｃを一体で設けている。端部係止片３ａ，３ｂと中間係止片３ｃとの間は、一対の型枠を挿嵌するための空間である型枠挿嵌部４ａ，４ｂになっている。また、端部係止片５ａ，５ｂと中間係止片５ｃとの間も、一対の型枠を挿嵌するための型枠挿嵌部６ａ，６ｂになっている。そして、基部２は、中間係止片３ｃ，５ｃの長手方向両端位置にて幅方向両端間を延びた折曲げ溝２ａ，２ｂを設けている。この段セパレータ１は、コンクリート基礎の形成において大量に使用され、コンクリート基礎内に埋め込まれて使い捨てにされるため、安価であることが必要であり、安価な普通鋼板が使用されている。
【０００３】
図６に示すように、段セパレータ１によって組み立てられた互いに対向する各一対の下及び上型枠８，９の成形面間にコンクリートが打設され、乾燥後に下及び上型枠８，９が取り外され、コンクリート基礎Ｋが形成される。その後、コンクリート基礎Ｋの外側に突出する段セパレータ１の基部２が、折曲げ溝２ａ，２ｂにおいて折り曲げられて切断除去されるが、そのために基部２の切断面の鋼素材が外気に露出する。そのため、鋼素材の露出部分から錆びを生じ、長時間に亘って放置される間に腐食が進行し、その結果、コンクリート基礎の耐久性が損なわれるおそれがある。このような錆びの発生に対処するために、段セパレータ１をステンレス鋼で形成すればよいが、普通鋼板製のものに比べて非常に高価になるという問題がある。
【０００４】
【発明が解決しようとする課題】
本発明は、上記した問題を解決しようとするもので、ベース上に互いに対向して垂直に立設されると共に、それぞれ上下二段に積まれた一対の型枠列を一定間隔に保持して上下の型枠を垂直状態で支持することができると共に、コンクリート基礎の表面における錆びの発生を抑えることにより、コンクリート基礎の長期にわたる耐久性に悪影響を与えない安価な型枠支持装置を提供することを目的とする。
【０００５】
【課題を解決するための手段】
上記目的を達成するために請求項１の発明の構成上の特徴は、ストレートな鉄製の棒状体であってその両端に軸方向に延びた一対の取付孔を有する連結棒と、連結棒の両端にて連結棒の外周側を囲んで固定されると共に軸方向外方に向けて延出し、軸方向の外側面が軸線に対して直角になっていると共に外側面から軸方向に延びて連結棒の端部に連通する挿通孔を設けてなる非金属製の一対の連結体とを有する間隔保持部材と、略長方形の平板であって長手方向の一端側に固定孔を有する基部と、基部の長手方向の他端縁にて一体で連結されて基部の延長方向に延びた棒状の取付部とを有し、間隔保持部材の取付孔に取付部を挿嵌することにより間隔保持部材に固定される一対の支持部材と、固定孔に着脱可能に挿嵌される固定部材とを備え、間隔保持部材が、互いに対向してベース上に立設されると共に上下２段に積まれた一対の型枠列の上下の型枠の境界にて対向する型枠の成形面に対して垂直に配置されると共に、各成形面に一対の連結体の各外側面が当接し、基部が上下の型枠の間に挟まれた状態で固定部材が固定孔に挿嵌されることにある。
【０００６】
上記のように構成した請求項１の発明においては、型枠支持装置が、互いに対向してベース上に立設された一対の型枠列の上端にて、連結体の軸方向外側面が各型枠の対向面に当接した状態で、基部が型枠に載置される。つぎに、下側の型枠の上端に、基部を挟んで上側の型枠が重ね合わされる。さらに、上下の型枠が重ね合わされた状態で、基部に設けた固定孔に固定部材を挿嵌することにより、上下の型枠が連結体に押し付けられて、型枠支持装置により強固に固定される。このように、上下に積み重ねられた一対の型枠列間にコンクリートが打設される。コンクリートの硬化後に、基部の固定孔に係止された固定部材を取り外すことにより、型枠が取り外される。その後、間隔保持部材の連結体から支持部材の取付部を取り外すことにより、コンクリート基礎から面には、金属部分として連結棒の両端が露出するが、連結体の挿通孔を非金属部材あるいは非金属材料で埋めることにより、金属部分の露出を容易に回避することができる。また、支持部材及び固定部材については、回収することにより多数回使用が可能である。
【０００７】
また、上記請求項２の発明の構成上の特徴は、前記請求項１に記載の型枠支持装置において、間隔保持部材の取付孔には、少なくとも一部にねじ溝が設けられ、支持部材の取付部には、ねじ溝に螺合するねじが設けられたことにある。このように、支持部材の取付部を、間隔保持部材の挿通孔を通して連結棒の取付孔に螺合させることにより、支持部材が簡単かつ強固に間隔保持部材に取り付けられる。
【０００８】
また、上記請求項３の発明の構成上の特徴は、前記請求項１又は２に記載の型枠支持装置において、間隔保持部材の連結体に設けた取付孔に密着状態で挿嵌固定される非金属材料製の封止部材を設けたことにある。このように、コンクリート基礎に露出した間隔保持部材の取付孔に封止部材を密着状態で挿嵌固定することにより、取付孔が簡単にかつ完全に塞がれ、取付孔内部における錆びの発生が一層確実に防止される。
【０００９】
【発明の実施の形態】
以下、本発明の一実施の形態について図面を用いて説明する。図１は、型枠支持装置を一部破断平面図により示し、図２は型枠支持装置を構成する間隔保持部材を一部破断面図により示し、図３は型枠支持装置を構成する支持部材を平面図及び正面図により示したものである。型枠支持装置１０は、ストレートな金属棒の両端に軸方向に延びた一対の取付孔１４を有する連結棒１２と、その軸方向両端に同軸状に固定された円錐台形状のセメント製の一対の連結体１５とからなる間隔保持部材１１と、普通鋼製の略長方形の平板であって長手方向の一端側位置（図３の右端）に固定孔２２ａを有する基部２２と、その長手方向の他端（図３の左端）にて一体で連結されて基部の延長方向に延びた棒状の取付部２３とを有する支持部材２１と、固定孔２４に着脱可能に挿嵌される楔形状の固定部材２５とを備えている。
【００１０】
間隔保持部材１１の連結棒１２は、ストレートな普通鋼製の丸棒であり、両端側が拡径された大径端部１３になっている。大径端部１３は、軸心位置にて軸端面１３ａから軸方向に延びるねじ溝を有する取付孔１４を設けている。連結体１５は、連結棒１２の軸端部に同軸状に取り付けられると共に軸方向外方にわずかに延びており、軸方向外方から内方に向けて縮径するように傾斜した円錐台形状になっている。連結体１５の軸方向外側端の外側面１５ａには、軸方向に延びて上記大径端部３に繋がる挿通孔１６を設けている。挿通孔１６は大径端部１３の外径と略同一内径になっている。挿通孔１６及び取付孔１４には、別途用意されるセメント製の封止部材１７が挿嵌される。封止部材１７は、挿通孔１６及び取付孔１４の孔径に合わせた外径を有する軸方向に連続して同軸状に配列された２つの円筒部を有しており、挿通孔１６及び取付孔１４に密着状態で挿嵌されて、挿通孔１６及び取付孔１４を外部から遮断できるようになっている。
【００１１】
支持部材２１の基部２２は、略長方形であって、その取付部２３側が長方形部分から幅が徐々に狭められて略２等辺三角形にされており、取付部２３に連続して繋げられている。基部２２は、長手方向の一端側（図３の右端側）に長手方向に延びた細長い長方形状の固定孔２４を設けており、固定孔２４左端と基部２２他端との間の長さが型枠の厚さ寸法よりわずかに短くされている。取付部２３は、外周にねじ溝を有しており、連結体１５の取付孔１４に螺着されるようになっている。支持部材２１は、鋼製の丸棒の一方の端部側を除いて、プレス加工により圧縮引き延ばしされて基部２２が形成され、他端側の丸棒部分が加工成形され、さらにねじ溝を加工することにより取付部２３に形成される。これにより、支持部材２１は、簡易に形成されると共に、基部２２と取付部２３との間の連結強度が確保される。なお、固定孔２４の形状については長方形に限らない。
【００１２】
基部２２の固定孔２４には、楔形状の薄板である固定部材２５が挿嵌されるようになっている。なお、固定部材２５の形状については楔形状に限らず、固定孔２４に密着状態で係止されるものであればよい。そして、型枠支持装置１０は、一対の支持部材２１の取付部２３を、間隔保持部材１１の両端の連結体１５の挿通孔１６を通して連結棒１２両端に設けた一対の取付孔１４にそれぞれ螺着させることにより得られる。
【００１３】
この型枠支持装置１０の使用状態について説明する。
図４に示すように、ベースコンクリートＧ上に、型枠支持具３１が載置される。型枠支持具３１は、長尺板状の基板部３２と、その長手方向両端に立設された一対の係止片３３と、基板部３２にて係止片３３と所定間隔を隔てて互いに対向して立設された一対の位置決め片３４とを一体で有しており、基板部３２の係止片３３と位置決め片３４との間に取付孔（図示しない）を設けている。型枠支持具３１は、基板部３２に設けた取付孔に釘を打ち込むことによりベースＧ上に固定される。型枠支持具３１の係止片３３と位置決め片３４との間に、成形面を位置決め片３４側に合わせて下型枠２７が挿嵌されて立設される。
【００１４】
互いに対向してベースＧ上に立設された一対の下型枠２７列の上端にて、型枠支持装置１０は、間隔保持部材１１の一対の連結体１５の軸方向外側面１５ａが各下型枠２７の成形面に当接した状態で、支持部材２１の基部２２にて下型枠２７上端に載置される。つぎに、下型枠２７の上端に、上型枠２８が基部２２を挟んで重ね合わされて、下型枠２７上に立設される。さらに、上下の型枠２７，２８が重ね合わされた状態で、基部２２に設けた固定孔２４に楔形状の固定部材２４を挿嵌することにより、上下の型枠２７，２８が連結体１５に押し付けられて、型枠支持装置１０により強固に固定される。また、一対の上型枠２８の上端間には型枠支持具３１が嵌め合わされる。上下一対の型枠列２７，２８の間には、縦及び横鉄筋３６が配設されている。
【００１５】
このように、上下２段に積み重ねられた一対の型枠２７，２８列間にコンクリートが打設される。コンクリートの硬化後に、基部２２の固定孔２４に係止された固定部材２５を取り外すことにより、型枠２７，２８が取り外される。その後、間隔保持部材１１の連結体１５から支持部材２１の取付部２３を取り外すことにより、コンクリート基礎Ｋが形成される。
【００１６】
さらに、連結棒１２の取付孔１４及び連結体１５の挿通孔１６にセメント製の封止部材１７が密着状態で挿嵌されることにより、挿通孔１６及び取付孔１４が外気から遮断される。封止部材１７については、接着剤を用いて接着することにより、取付孔１４及び挿通孔１６にさらに強固にかつ信頼性良く固定される。その結果、本実施形態においては、従来のようにコンクリート基礎面に露出した型枠支持装置が錆びることによりコンクリート基礎Ｋの長期の信頼性が損なわれる、といった不具合が解消される。また、支持部材２１については、鉄の打抜き加工及びプレス加工により形成されると共にメッキが不要であるため、安価に提供されると共に、繰返し使用することができるため、金具コストが大幅に削減される。
【００１７】
なお、上記実施形態において、間隔保持部材１１の連結棒１２にねじ孔を設け、支持部材２１のねじを設けた取付部２３を螺合させることにより、支持部材２１が間隔保持部材１１に取り付けられるが、これに限らず、取付部２３を取付孔１４に圧入等により固定することも可能である。また、封止部材の材質については、セメントに限らず、その他のセラミックス、あるいはプラスチック等の非金属材料であってもよい。また、封止部材を用いる代わりに、取付孔１４及び挿通孔１６をセメント等の非金属材料で直接埋めることによっても、金属部分の露出を容易に回避することができる。その他、上記実施形態に示した型枠支持装置については、一例であり、本発明の主旨を逸脱しない範囲において種々変更実施することが可能である。
【００１８】
【発明の効果】
本発明によれば、型枠支持装置の支持部材を間隔保持部材から取り外し、コンクリート基礎面に露出した鉄製の連結棒の端部を塞ぐことにより、外部から遮断することができる。その結果、本発明においては、従来のようにコンクリート基礎面に露出した型枠支持装置が錆びることによりコンクリート基礎Ｋが悪影響を受ける、といった不具合が解消される。また、支持部材については、鉄の打抜き加工及びプレス加工により安価に形成されると共に、繰返し使用することができるため、金具コストが大幅に削減される。また、型枠支持部材の取付部を、間隔保持部材の挿通孔を通して連結棒の取付孔に螺合させることにより、支持部材が簡単かつ強固に間隔保持部材に取り付けられる。さらに、コンクリート基礎に露出した間隔保持部材の取付孔に封止部材を密着状態で挿嵌固定することにより、取付孔が簡単にかつ完全に塞がれ、取付孔内部における錆びの発生が一層確実に防止される。
【図面の簡単な説明】
【図１】本発明の一実施形態である型枠支持装置を概略的に示す一部破断平面図である。
【図２】型枠支持装置を構成する間隔保持部材を概略的に示す一部破断面図である。
【図３】型枠支持装置を構成する支持部材を概略的に示す平面図及び正面図である。
【図４】型枠支持装置の使用状態を概略的に示す一部破断正面図である。
【図５】従来例である段セパレータを概略的に示す斜視図である。
【図６】従来例である段セパレータの使用状態を概略的に示す一部破断正面図である。
【符号の説明】
１０…型枠支持装置、１１…間隔保持部材、１２…連結棒、１３…第１縦垂直支持片、１４…取付孔、１５…連結体、１６…挿通孔、１７…封止部材、２１…支持部材、２２…基部、２３…取付部、２４…固定孔、２５…固定部材、２７，２８…型枠。
【図１】
2004225485.tif 000003
【図２】
2004225485.tif 000004
【図３】
2004225485.tif 000005
【図４】
2004225485.tif 000006
【図５】
2004225485.tif 000007
【図６】
2004225485.tif 000008